【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
品物を移動するための差動インパルス型コンベアであって、
品物を支持するためのトレイの床を有し、トレイの前方移動の間に品物を前方に移動するために前方に移動可能であり、トレイの後方移動の間に前記トレイに沿って品物を摺動させるために後方に移動可能なトレイと、
前記トレイの床を前方および後方に移動するための駆動モータと、を備え、
前記トレイの床は複数のディンプルを含み、各ディンプルは前記トレイの床上で隣接する製品支持面から上方に突出し、各ディンプルは前記製品支持面から上方に延在する押し出し部分と、前記製品支持面から上方に延在するテーパ状の傾斜部分とを含み、前記押し出し部分は、前記トレイが前方に移動している間に品物を前方に押し、前記テーパ状の傾斜部分は前記押し出し部分と係合して、前記コンベアのトレイが後方に移動している間に品物を前記押し出し部分の正面に移動させ、
各ディンプルの前記テーパ状の傾斜部分は、前記品物の少なくとも一部を前記ディンプルの中心線から離れて横方向に偏位させるための角度のついた側面を含む、差動インパルス型コンベア。
【請求項２】
各押し出し部分は、前記製品支持面から５０°から９０°までの角度で後方に傾斜して上方に突出する、請求項１に記載の差動インパルス型コンベア。
【請求項３】
各押し出し部分は、前記トレイに沿って品物が移動する方向に対して垂直である平面の係止面を提供する、請求項１に記載の差動インパルス型コンベア。
【請求項４】
前記複数のディンプルは、複数の行および複数の列で前記トレイ上に配置される、請求項１に記載の差動インパルス型コンベア。
【請求項５】
前記複数のディンプルのそれぞれは長尺状のディンプルであり、前記トレイの対向する側面の間に横方向に延在する、請求項１に記載の差動インパルス型コンベア。
【請求項６】
前記トレイの前記製品支持面は、少なくとも３°の角度で上方に傾斜する、請求項１に記載の差動インパルス型コンベア。
【請求項７】
品物を移動するための差動インパルス型コンベアであって、
品物を支持するためのトレイの床を有し、トレイの前方移動の間に品物を前方に移動するために前方に移動可能であり、トレイの後方移動の間に前記トレイに沿って品物を摺動させるために後方に移動可能なトレイと、
前記トレイの床を前方および後方に移動するための駆動モータと、
前記トレイに沿って移動する品物の速度を判断するための速度センサと、を備え、
前記トレイの床は複数のディンプルを含み、各ディンプルは前記トレイの床上で隣接する製品支持面から上方に突出し、各ディンプルは前記製品支持面から上方に延在する押し出し部分と、前記製品支持面から上方に延在するテーパ状の傾斜部分とを含み、前記押し出し部分は、前記トレイが前方に移動している間に品物を前方に押し、前記テーパ状の傾斜部分は前記押し出し部分と係合して、前記コンベアのトレイが後方に移動している間に品物を前記押し出し部分の正面に移動させ、
前記速度センサは、選択した距離を品物が前記コンベアに沿って移動する時間を測定するためのタイマを含む、差動インパルス型コンベア。
【請求項８】
各ディンプルの前記テーパ状の傾斜部分は、前記品物の少なくとも一部を前記ディンプルの中心線から離れて横方向に偏位させるための角度のついた側面を含む、請求項７に記載の差動インパルス型コンベア。
【請求項９】
差動インパルス型コンベアであって、
品物を支持するためのトレイの床を有し、トレイの前方移動の間に品物を前方に移動するために前方に移動可能であり、トレイの後方移動の間に前記トレイに沿って品物を摺動させるために後方に移動可能なトレイと、
前記トレイの床を前方および後方に移動するための駆動モータと、
前記トレイに沿って移動する品物の速度を判断するための速度センサと、
前記トレイ上の品物の高さを判断するための少なくとも１つの高さセンサと、
前記トレイ上の品物の重量を測定するための荷重変換器と、を備え、
前記トレイの床は複数のディンプルを含み、各ディンプルは前記トレイの床上で隣接する製品支持面から上方に突出し、各ディンプルは前記製品支持面から上方に延在する押し出し部分と、前記製品支持面から上方に延在するテーパ状の傾斜部分とを含み、前記押し出し部分は、前記トレイが前方に移動している間に品物を前方に押し、前記テーパ状の傾斜部分は前記押し出し部分と係合して、前記コンベアのトレイが後方に移動している間に品物を前記押し出し部分の正面に移動させる、差動インパルス型コンベア。
【請求項１０】
前記トレイに沿って移動する品物の速度を判断するための前記速度センサは、選択した距離を品物が前記コンベアに沿って移動するのに要する時間を測定するためのタイマを含む、請求項９に記載の差動インパルス型コンベア。
【請求項１１】
品物を移動するための差動インパルス型コンベアであって、
品物を支持するためのトレイの床を有し、トレイの前方移動の間に品物を前方に移動するために前方に移動可能であり、トレイの後方移動の間に前記トレイに沿って品物を摺動させるために後方に移動可能なトレイと、
前記トレイの床を前記前方および前記後方に移動するための駆動モータと、
前記トレイに沿って移動する品物の速度を判断するための速度センサと、
前記トレイ上の品物の高さを判断するための少なくとも１つの高さセンサと、
前記トレイ上の品物の重量を測定するための荷重変換器と、を備え、
前記トレイの床は複数のディンプルを含み、各ディンプルは前記トレイの床の隣接する
製品支持面から上方に突出し、複数の行および列において前記トレイ上に配置され、各ディンプルは前記製品支持面から上方に延在する押し出し部分と、前記製品支持面から上方に延在するテーパ状の傾斜部分とを含み、前記押し出し部分は、前記トレイが前方に移動している間に品物を前方に押すために、前記トレイに沿って移動する品物に対して垂直な面を提供し、前記テーパ状の傾斜部分は前記押し出し部分と係合して、前記コンベアのトレイが後方に移動している間に品物を前記押し出し部分の正面に移動させる、
差動インパルス型コンベア。
【請求項１２】
差動インパルス型コンベアで品物を移動する方法であって、
前記品物を支持するためのトレイの床を有し、トレイの前方移動の間に品物を前方に移動するために前方に移動可能であり、トレイの後方移動の間に前記トレイに沿って品物を摺動させるために後方に移動可能なトレイを提供することと、
前記トレイの床を前記前方および前記後方に移動するための駆動モータに動力を提供することと、
複数のディンプルを前記トレイの床に配置することであって、各ディンプルは前記トレイの床の隣接する製品支持面から上方に突出し、各ディンプルは前記製品支持面から上方に延在する押し出し部分と、前記製品支持面から上方に延在するテーパ状の傾斜部分とを含み、前記押し出し部分は、前記トレイが前方に移動している間に品物を前方に移動させ、前記テーパ状の傾斜部分は前記押し出し部分と係合して、前記コンベアのトレイが後方に移動している間に品物を前記押し出し部分の正面に移動させることと、
前記トレイ上の品物の重量と前記トレイ上の品物の高さのうち少なくとも１つを判断することと、
前記トレイに沿って移動する品物の速度を判断することと、
前記トレイに沿って移動する前記品物の前記判断した速度に関連して、前記判断した高さおよび前記判断した重量の１つまたは複数の関数として、前記トレイに沿って移動する品物の量を判断することと、
を備える、方法。
【請求項１３】
前記押し出し部分は、前記トレイに沿った前記品物の移動方向に対して直角である平面を提供する、請求項１２に記載の方法。
【請求項１４】
前記ディンプルは、複数の行および複数の列で前記トレイ上に配置される、請求項１２に記載の方法。
【請求項１５】
少なくとも３°の角度で上方に傾斜する前記コンベアのトレイに沿って品物を移動することをさらに備える、請求項１２に記載の方法。
【請求項１６】
前記トレイ上の品物の重量と前記トレイ上の品物の高さのうち少なくとも１つを判断することと、
前記トレイに沿って移動する品物の速度を判断することは、
タイマを提供することと、
前記タイマを使用して、選択した距離を前記品物が前記トレイに沿って移動するのに要する時間を測定することと、
前記選択した距離を前記品物が移動するのに要する時間によって前記選択した距離を割ることとによって行われることと、
をさらに備える、請求項１２に記載の方法。
【手続補正２】
【補正対象書類名】明細書
【補正対象項目名】発明の名称
【補正方法】変更
【補正の内容】
【発明の名称】改良したトレイを備える差動インパルス型コンベアおよび同コンベアで品物を移動する方法